(57)【特許請求の範囲】
【請求項１】
蚊取り線香等の渦巻き型の中心を支持する支持部材を備える渦巻き型用の線香立てにおいて、渦巻き型の線香の径に対応した円弧状に湾曲した灰受け台と、渦巻き型の線香を垂直姿勢で支持する縦型支持部材を備え、渦巻き型の線香に火を付けた後の灰を前記灰受け台で回収するとともに、前記灰受け台の円弧状の中心付近に集めることを特徴とする渦巻き型用の線香立て。
【請求項２】
蚊取り線香等の渦巻き型の中心を支持する支持部材を備える渦巻き型用の線香立てにおいて、渦巻き型の線香の径に対応した円弧状に湾曲した灰受け台と、渦巻き型の線香を垂直姿勢で支持する縦型支持部材を備え、渦巻き型の線香に火を付けると、その燃焼により渦巻き型の線香の先端部の位置と重量が変化するとともに、その灰を前記灰受け台の円弧状の中心付近に集めることにより、前記円弧状の灰受け台を揺らすことにより、線香の煙を拡散することを特徴とする渦巻き型用の線香立て。
【請求項３】
前記灰受け台の一端に回転可能に連結された第１の腕部材を備え、前記第１の腕部材は渦巻き型の線香の中心を支持する突起部を備えるとともに、前記第１の腕部材は前記灰受け台と同様に円弧状に湾曲しており、前記第１の腕部材を折り畳んで前記灰受け台に収納することを特徴とする請求項１又は２記載の渦巻き型用の線香立て。
【請求項４】
前記第１の腕部材の一端に回転可能に連結された第２の腕部材を備え、第２の腕部材は端部に外部の部材に引っ掛けるフック部を備えるとともに、前記第２の腕部材は前記灰受け台と同様に円弧状に湾曲しており、前記第２の腕部材を折り畳んで前記灰受け台に収納することを特徴とする請求項１又は２記載の渦巻き型用の線香立て。
【請求項５】
前記第１の腕部材と前記第２の腕部材は、前記灰受け台の円弧形状に対応して湾曲しており、前記第１の腕部材と前記第２の腕部材を折り畳んで前記灰受け台に隠すように収納することを特徴とする請求項３又は４記載の渦巻き型用の線香立て。
【請求項６】
前記第１の腕部材の一端に回転可能に連結された第２の腕部材を備え、前記第１の腕部材と前記第２の腕部材は、前記灰受け台の円弧形状に対応して湾曲しており、前記第１の腕部材と前記第２の腕部材を折り畳んで全体が前記灰受け台を底にした三日月形を呈するように形成できるか、及び／又は、前記灰受け台の円弧状のほぼ円中心位置に近付けて前記第１の腕部材の突起部を位置させることを特徴とする請求項１又は２記載の渦巻き型用の線香立て。
【請求項７】
前記灰受け台の円弧形状の中心部に、集めた灰を排出する排出穴が設けられ、この排出穴が渦巻き型用の線香立てを所定高さで支持する三脚等の支持手段により支持する穴を兼用することを特徴とする請求項１ないし６いずれか１項記載の渦巻き型用の線香立て。
【発明の詳細な説明】
【技術分野】
【０００１】
本発明は、蚊取り線香等の渦巻き型の線香を支持する渦巻き型用の線香立てに関する。
【背景技術】
【０００２】
蚊取り線香等の線香を支持する渦巻き型用の線香立てとして、例えば、以下の特許文献１、２に開示されたものがある。
【０００３】
特許文献１には、金属製の基盤と折り曲げ可能な連結部を介して基盤と一体に連結している爪部分とを有する渦巻き型用の線香立てが開示されている。このような渦巻き型用の線香立ては、平属性の板材をプレス加工によって、打ち抜き成形することにより、簡単に形成することができるので、広く普及している。
【０００４】
特許文献２には、上部を開口する容器と、容器の開口端部に設けられる線香保持部材とを備え、線香保持部材は、容器の開口端部に径方向に架け渡される支持部材の長さ方向の中間位置に、蚊取り線香の中心部のスリットに挿入可能な爪が上下方向に対して斜めに傾斜して設けられている蚊取り線香保持具及び蚊取り線香用収納器が開示されている。
【先行技術文献】
【特許文献】
【０００５】
【特許文献１】実用新案登録第３００５９６７号
【特許文献２】特許第５９０５９９２号
【発明の概要】
【発明が解決しようとする課題】
【０００６】
特許文献１記載の渦巻き型用の線香立ては、床等の水平かつ平坦な場所に設置するものであるため、燃え尽きた後の灰が床等を汚すので、これを汚さないようにするためには、灰を受けるための受け皿等を別途用意し、その受け皿の上に渦巻き型用の線香立てを載せる必要がある。
【０００７】
この点、特許文献２記載の容器を用いた線香保持具の場合は、容器内に蚊取り線香が保持されるので、燃え尽きた後の灰が容器内に落下し、床面等を汚すことも防止される。また蚊取り線香が垂直で保持されるため、使い始めの最外周部分の灰もこぼさずに受けることができるが、容器が大きく持ち運びづらい。
【０００８】
ところで、前記従来の渦巻き型用の線香立て及び線香保持具では、風等の空気の流れがない場所では線香の煙がなかなか広がらないという問題があった。
また、線香を燃焼させた後の灰は散らばってしまい、回収することが面倒になる問題や、風によって飛散させてしまう問題を有していた。
そして、蚊取り線香はキャンプ場等の屋外で使用される機会も多いので、荷物が増えないようにコンパクトで持ち運びやすい蚊取り渦巻き型用の線香立てが求められている。このため、小型になるようして、上記煙の広がりや灰の回収などができることが求められる。
【０００９】
そこで本発明の目的は、風等の空気の流れがない時でも蚊取り線香の煙を拡散させることができ、線香を燃焼させた後の灰を効率よく回収するとともに、風によって飛散させてしまうようなことがなく、しかも、コンパクトで持ち運びやすい渦巻き型用の線香立てを提供することにある。
【課題を解決するための手段】
【００１０】
本発明の一つは、蚊取り線香等の渦巻き型の中心を支持する支持部材を備える渦巻き型用の線香立てにおいて、渦巻き型の線香の径に対応した円弧状に湾曲した灰受け台と、渦巻き型の線香を垂直姿勢で支持する縦型支持部材を備え、渦巻き型の線香に火を付けた後の灰を前記灰受け台で回収するとともに、前記灰受け台の円弧状の中心付近に集めることを特徴とする渦巻き型用の線香立てである。
本発明によれば、渦巻き型の線香に火を付けた後の灰を前記灰受け台で回収するとともに、前記灰受け台の円弧状の中心付近に集めることで、灰の廃棄を行いやすく、灰の飛散も防止することができる。
また、本発明の他の一つは、蚊取り線香等の渦巻き型の中心を支持する支持部材を備える渦巻き型用の線香立てにおいて、渦巻き型の線香の径に対応した円弧状に湾曲した灰受け台と、渦巻き型の線香を垂直姿勢で支持する縦型支持部材を備え、渦巻き型の線香に火を付けると、その燃焼により渦巻き型の線香の先端部の位置と重量が変化するとともに、その灰を前記灰受け台の円弧状の中心付近に集めることにより、前記円弧状の灰受け台を揺らすことにより、線香の煙を拡散することを特徴とする渦巻き型用の線香立てである。
本発明によれば、燃焼により渦巻き型の線香の先端部の位置と重量が変化するとともに、その灰を前記灰受け台の円弧状の中心付近に集めることにより、前記円弧状の灰受け台を揺らすことにより、線香の煙を広く拡散させるか、蚊取り線香の煙でも、周囲に広がりやすくすることができる。
【００１１】
本発明としては、前記灰受け台の一端に回転可能に連結された第１の腕部材を備え、前記第１の腕部材は渦巻き型の線香の中心を支持する突起部を備えるとともに、前記第１の腕部材は前記灰受け台と同様に円弧状に湾曲しており、前記第１の腕部材を折り畳んで前記灰受け台に収納することを特徴とする。
本発明によれば、突起部によって蚊取り線香等の線香を垂直に保持することが可能になる。また、記第２の腕部材を折り畳んで前記灰受け台に収納することができるので、コンパクトに折り畳んで持ち運ぶことができる。
【００１２】
本発明としては、前記第１の腕部材の一端に回転可能に連結された第２の腕部材を備え、第２の腕部材は端部に外部の部材に引っ掛けるフック部を備えるとともに、前記第２の腕部材は前記灰受け台と同様に円弧状に湾曲しており、前記第２の腕部材を折り畳んで前記灰受け台に収納することを特徴とする。
本発明によれば、第２の腕部材のフック部を外部の部材（木の枝等）に引っ掛けることにより、蚊取り線香等の線香を吊り下げて使用することが可能になる。また、記第２の腕部材を折り畳んで前記灰受け台に収納することができるので、コンパクトに折り畳んで持ち運ぶことができる。
【００１３】
本発明としては、前記第１の腕部材と前記第２の腕部材は、前記灰受け台の円弧形状に対応して湾曲しており、前記第１の腕部材と前記第２の腕部材を折り畳んで前記灰受け台に隠すように収納することを特徴とする。
また、本発明としては、前記第１の腕部材の一端に回転可能に連結された第２の腕部材を備え、前記第１の腕部材と前記第２の腕部材は、前記灰受け台の円弧形状に対応して湾曲しており、前記第１の腕部材と前記第２の腕部材を折り畳んで全体が前記灰受け台を底にした三日月形を呈するように形成できるか、及び／又は、前記灰受け台の円弧状のほぼ円中心位置に近付けて前記第１の腕部材の突起部を位置させることを特徴とする。
本発明によれば、灰受け台の部分に腕部材を収納することによって渦巻き型用の線香立てを折り畳むことができ、コンパクトで持ち運びが便利になる。また、本発明によれば、前記灰受け台の円弧状のほぼ円中心位置において前記第１の腕部材の突起部により渦巻き型の線香の中心を支持することができ、安定して線香を縦型に支持することが可能になる。
【００１４】
本発明としては、前記灰受け台の円弧形状の中心部に、集めた灰を排出する排出穴が設けられ、この排出穴が渦巻き型用の線香立てを所定高さで支持する三脚等の支持手段により支持する穴を兼用することを特徴とする。
本発明によれば、排出穴から集めた灰を排出することが可能になり、また、排出穴を三脚ねじ等を取り付ける穴として利用することができ、三脚等に渦巻き型用の線香立てを設置することができる。
【発明の効果】
【００１５】
本発明によれば、前記灰受け台により、線香を燃焼させた後の灰を効率よく回収するとともに、風によって飛散させてしまうようなことがなく、また、前記灰受け台を揺らして、風等の空気の流れがない時でも蚊取り線香の煙を部屋中に充満させることができる。また、第１の腕部材と第２の腕部材を前記灰受け台に収納させて、コンパクトで持ち運び易くすることができる。そして、第１の腕部材と第２の腕部材を前記灰受け台と組み合わせて、三日月状や半月状や正円に近い形などに折り畳んだデザインを種々変更することが可能であり、これらに手や腕を通してブレスレットとして使用したり携帯用具としたりすることも可能である。
【図面の簡単な説明】
【００１６】
【図１】本発明の第１の実施形態の渦巻き型用の線香立てを示す斜視図である。
【図２】上記実施形態の渦巻き型用の線香立てを示す正面図である。
【図３】上記実施形態の渦巻き型用の線香立てを示す背面図である。
【図４】上記実施形態の渦巻き型用の線香立てを示す平面図である。
【図５】上記実施形態の渦巻き型用の線香立てを示す底面図である。
【図６】上記実施形態の渦巻き型用の線香立てを示す右側面図である。
【図７】上記実施形態の渦巻き型用の線香立てを示す左側面図である。
【図８】上記実施形態の渦巻き型用の線香立ての腕部材を伸ばした状態を示す図である。
【図９】上記実施形態の渦巻き型用の線香立ての腕部材を灰受け台に収納した状態を示す図である。
【図１０】上記実施形態の渦巻き型用線香立ての使用状態を示す写真である。
【図１１】上記実施形態の渦巻き型用線香立ての使用状態を示す写真である。
【図１２】上記実施形態の渦巻き型用線香立ての使用状態を示す写真である。
【図１３】本発明の第２の実施形態の渦巻き型用の線香立てを示す図である。
【発明を実施するための形態】
【００１７】
以下、本発明を適用した具体的な実施の形態について、図面を参照しながら詳細に説明する。
【００１８】
図１は本発明の実施形態の渦巻き型用の線香立てを示す斜視図であり、図２は上記実施形態の渦巻き型用の線香立てを示す正面図であり、図３は上記実施形態の渦巻き型用の線香立てを示す背面図であり、図４は上記実施形態の渦巻き型用の線香立てを示す平面図であり、図５は上記実施形態の渦巻き型用の線香立てを示す底面図であり、図６は上記実施形態の渦巻き型用の線香立てを示す右側面図であり、図７は上記実施形態の渦巻き型用の線香立てを示す左側面図である。
【００１９】
本発明の第１の実施形態の渦巻き型用の線香立て１は、灰受け台２、第１の腕部材３及び第２の腕部材４を組み合わせて三日月形状になるように構成されている。
灰受け台２は断面コ字状で、渦巻き型の蚊取り線香の径に対応した円弧状に湾曲した部材であり、蚊取り線香を使用するときの灰の受け皿になる。また、円弧状の灰受け台２を押すと灰受け台が左右に揺れるので、蚊取り線香の煙が周囲に広がりやすくなる。
【００２０】
灰受け台２の一端部には、連結部（回転軸）５を介して第１の腕部材３が回転可能に取り付けられている。第１の腕部材３は、蚊取り線香の径に対応した円の中心に向かって凸となる円弧状に湾曲した部材で、灰受け台２と同じカーブを有する。第１の腕部材３の長さ方向の中間位置に突起部６を備え、突起部６に蚊取り線香の中心を差し込んで、蚊取り線香を垂直に保持する。
【００２１】
また、灰受け台２の底部には三脚等の支持部材に灰受け台２を介して取り付けるための穴９が設けられている。この穴９は、集めた灰を廃棄する排出穴を兼用している。なお、使用しない場合は、テープで塞いだり、また、灰の回収箱を設けてもよい。
【００２２】
第１の腕部材３の灰受け台２との連結部５と反対方向の端部には、連結部（回転軸）７を介して第２の腕部材４が回転可能に取り付けられている。第２の腕部材４は蚊取り線香の径に対応した円弧状に湾曲した部材で、灰受け台２や第２の腕部材４と同じ円弧状のカーブを有する。また、第２の腕部材４には、第１の腕部材３との連結部７と反対方向の端部に、外部の部材に引っ掛けるフック部８が設けられている。
上記回転軸（連結部）７は、第１の腕部材３と灰受け台２の端部に軸部材として取り付けられ、所定角度で形成される溝５ａに、スプリングピン（図示せず）を配置して構成されて所定角度回転する機構である。スプリングピンは、薄板に熱処理をして円筒状に巻いたピンであり、穴や溝５ａに取り付けたときに、ばねの作用により穴の内側に密着して高い保持力が得られる部材である。本実施の形態では、スプリングピンは、灰受け台２に対して第１の腕部材３が約１６０〜１７０°の角度に変更可能にする溝５ａが形成されて、その約１６０〜１７０°の回転が可能に角度調整がなされ、また、第１の腕部材３と第２の腕部材４との連結軸も、約１６０〜１７０°の回転角度の溝に配置されて、約１６０〜１７０°回転して係止する。なお、所定角度回転してロックがかかる状態にすることもできる。
【００２３】
図８は上記実施形態の渦巻き型用の線香立ての腕部材を伸ばした状態を示す図である。
第２の腕部材４を、連結部７を回転軸として反時計回りに回転させると（図示矢印）、第２の腕部材４が上方向に伸びて、腕部材４の先端に設けられた外部の部材に引っ掛けるフック部８で紐や木の枝等に吊り下げることができる。そのため、別途吊り下げ具を用意しなくても渦巻き型用の線香立て１を吊り下げて使用することが可能になる。また、吊り下げて使用することによって渦巻き型用の線香立て１が揺れて蚊取り線香の煙が周囲に広がりやすくなる。前記フック部のストッパ８ａが灰受け台２の一端側端部に設けられている。なお、フック部のストッパ８ａとしては、灰受け台２の一端側端部に溝を設けるなどしても良い。
【００２４】
図９は上記実施形態の渦巻き型用の線香立ての腕部材を灰受け台に収納した状態を示す図である。
第１の腕部材３を、連結部５を回転軸として時計回りに回転させ、第２の腕部材４を、連結部７を回転軸として反時計回りに回転させて、第１の腕部材３と第２の腕部材４を折り畳んで灰受け台２に収納する。灰受け台２と第１の腕部材３、第２の腕部材４は同じカーブを有するので、第１の腕部材３と第２の腕部材４を灰受け台２に収納することができ、コンパクトにして持ち運ぶことができる。
【００２５】
図１０〜図１２は上記実施形態の渦巻き型用線香立ての使用状態を示す写真である。
本実施形態の渦巻き型用線香立て１は、図１０、１１に示すように、突起部６に渦巻き型の線香Ｓｋの中心を差し込んで、垂直に保持する。
また、図１２に示すように、フック部８を紐などに引っ掛けることにより吊り下げて使用することができる。
【００２６】
図１３は本発明の第２の実施形態の渦巻き型用の線香立てを示す図である。
本発明の第２の実施形態の渦巻き型用の線香立て２１は、断面コ字状の灰受け台２の一方の側面に第１の腕部材３が取り付けられ、第１の腕部材３の灰受け台２との連結部５と反対方向の端部には、連結部（回転軸）７を介して第２の腕部材４が回転可能に取り付けられている。
また、灰受け台２の他方の側面に第３の腕部材２３が取り付けられ、第３の腕部材２３の灰受け台との連結部２５と反対側の端部には、連結部２７を介して第４の腕部材２４が回転可能に取り付けられている。
つまり、灰受け台２、第１の腕部材３及び第２の腕部材４を組み合わせて三日月形状に構成され、灰受け台２、第３の腕部材２３及び第４の腕部材２４を組み合わせて三日月形状に構成される。
【００２７】
第１の腕部材３の長さ方向の中間位置に備えた突起部６と、第３の腕部材２３の長さ方向の中間位置に備えた突起部２６（図示せず）に渦巻き型の線香の中心を差し込んで、２つの渦巻き型の蚊取り線香を向かい合わせで垂直に保持することができる。これにより、より強い虫よけ効果を得ることができる。
【００２８】
なお、本発明は、上記実施形態に限定されるものではなく、本発明の趣旨を逸脱しない範囲において種々の変更を加えることが可能である。例えば、上記実施形態では灰受け台と第１と第２の腕部材の２本で構成したが、腕部材１本または３本以上で構成してもよい。また、三日月形状の実施形態で説明したが、半円形状や、或いは、楕円形状を呈するように形成することも可能である。また、蚊取り線香を例に説明したが、渦巻き型のものであれば、蚊取り線香以外の線香等にも応用できることは言うまでもない。
【符号の説明】
【００２９】
１      渦巻き型用の線香立て、
２      灰受け台、
３      第１の腕部材、
４      第２の腕部材、
５      連結部、５ａ    溝、
６      突起部、
７      連結部、
８      外部の部材に引っ掛けるフック部、８ａ    フック部のストッパ、
９      灰を廃棄する排出穴（三脚等の支持部材に取り付けるための穴）、
２３    第３の腕部材、
２４    第４の腕部材、
２５    連結部、
２６    突起部、
２７    連結部、
２８    外部の部材に引っ掛けるフック部、
Ｓｋ      渦巻き型の線香（蚊取り線香）
【要約】
【課題】  線香の燃焼により、風等の空気の流れがない時でも蚊取り線香の煙を拡散させることができ、燃焼した灰を円弧形状の灰受け台の中心部に集めることで、廃棄を行いやすくしたり、飛散することを防止し、しかも、コンパクトで持ち運びやすい渦巻き型用の線香立てを提供する。
【解決手段】  蚊取り線香等の渦巻き型の中心を支持する支持部材を備える渦巻き型用の線香立てにおいて、渦巻き型の蚊取り線香の径に対応した円弧状に湾曲した灰受け台と、渦巻き型の線香を垂直姿勢で支持する縦型支持部材を備え、渦巻き型の線香に火を付けた後の灰を前記灰受け台で回収するとともに、前記灰受け台の円弧状の中心付近に集める。
【選択図】  図１【図１】
0006811496.tif 000002
【図２】
0006811496.tif 000003
【図３】
0006811496.tif 000004
【図４】
0006811496.tif 000005
【図５】
0006811496.tif 000006
【図６】
0006811496.tif 000007
【図７】
0006811496.tif 000008
【図８】
0006811496.tif 000009
【図９】
0006811496.tif 000010
【図１０】
0006811496.tif 000011
【図１１】
0006811496.tif 000012
【図１２】
0006811496.tif 000013
【図１３】
0006811496.tif 000014